(57)【要約】【課題】利用する河川水からのコイヘルペスウイルスの進入を防止し、コイヘルペスウイルスによる錦鯉の魚病対策を実施可能とした錦鯉養殖施設を提供する。【解決手段】河川水を取水する取水装置１０と、取水装置１０により取水した河川水を濾過する濾過装置２０と、濾過装置２０により濾過した濾過処理水に含まれるコイヘルペスウイルスを殺菌する紫外線殺菌装置３０とを有し、紫外線殺菌装置３０により殺菌した殺菌処理水を飼育水槽５０に送水する。また、濾過装置２０により０．１μｍ以上の浮遊物を除去した後に、紫外線殺菌装置３０によりコイヘルペスウイルスを殺菌する。また、取水装置１０、濾過装置２０及び紫外線殺菌装置３０を集中制御する制御装置４０を有する。【選択図】図１
0003197411.tif 000002
【実用新案登録請求の範囲】
【請求項１】
河川水を取水する取水装置と、前記取水装置により取水した河川水を濾過する濾過装置と、前記濾過装置により濾過した濾過処理水に含まれるコイヘルペスウイルスを殺菌する紫外線殺菌装置とを有し、前記紫外線殺菌装置により殺菌した殺菌処理水を飼育水槽に送水することを特徴とする錦鯉養殖施設。
【請求項２】
前記濾過装置により０．１μｍ以上の浮遊物を除去した後に、前記紫外線殺菌装置によりコイヘルペスウイルスを殺菌することを特徴とする請求項１に記載の錦鯉養殖施設。
【請求項３】
前記取水装置、前記濾過装置及び前記紫外線殺菌装置を集中制御する制御装置を有することを特徴とする請求項１又は請求項２に記載の錦鯉養殖施設。
【考案の詳細な説明】
【技術分野】
【０００１】
本考案は、錦鯉養殖施設に関するものである。より詳しくは、コイヘルペスウイルスによる錦鯉の魚病対策を実施可能とした錦鯉養殖施設に関するものである。
【背景技術】
【０００２】
従来、コイヘルペスウイルスによる錦鯉の魚病が問題となっている。コイヘルペスウイルス病は致死率が非常に高く、また養殖施設においては感染拡大による大量死も懸念される。
【０００３】
これに対して、コイヘルペスウイルスのワクチン開発が進められており、例えば特許文献１には、濃縮した不活化コイヘルペスウイルスを抗原として含有するコイヘルペス用予防注射ワクチンに関する発明が記載されている。また、特許文献２には、溶媒にヨウ素とシクロデキストリンとが溶解したヘルペスウイルス不活化剤に関する発明が記載されている。
【０００４】
一方、錦鯉養殖施設においては、飼育槽に供給する水として河川水が利用されている。そして、利用する河川水の汚染除去に関して、例えば特許文献３には、河川水から塩素・アンモニア・酸・アルカリ・金属などを除去するための河川水汚染除去装置を設置した河川水利用養魚システムに関する発明が記載されている。
【先行技術文献】
【特許文献】
【０００５】
【特許文献１】特開２００７−２２３９１３号公報
【特許文献２】特開２００７−３９３９５号公報
【特許文献３】特開平６−１９７６６３号公報
【考案の概要】
【考案が解決しようとする課題】
【０００６】
確かに、特許文献１や特許文献２に記載されたワクチン・不活化剤による対応策も必要ではある。しかしながら、錦鯉養殖施設においては、飼育槽に供給する水として河川水が利用されおり、コイヘルペスウイルスは河川水にも存在している。従って、利用する河川水からのコイヘルペスウイルスの進入をいかに防止するかが、対処すべきより根本的かつ重要な問題である。これに対して、特許文献３に記載された河川水利用養魚システムでは、河川水汚染除去装置によってコイヘルペスウイルスの進入を防止することはできない。
【０００７】
本考案は、上記従来の課題を解決するものであり、利用する河川水からのコイヘルペスウイルスの進入を防止し、コイヘルペスウイルスによる錦鯉の魚病対策を実施可能とした錦鯉養殖施設を提供するものである。
【課題を解決するための手段】
【０００８】
上記課題を解決するため、本考案の錦鯉養殖施設は、河川水を取水する取水装置と、前記取水装置により取水した河川水を濾過する濾過装置と、前記濾過装置により濾過した濾過処理水に含まれるコイヘルペスウイルスを殺菌する紫外線殺菌装置とを有し、前記紫外線殺菌装置により殺菌した殺菌処理水を飼育水槽に送水することを特徴とする。
【０００９】
また好ましくは、前記濾過装置により０．１μｍ以上の浮遊物を除去した後に、前記紫外線殺菌装置によりコイヘルペスウイルスを殺菌することを特徴とする。
【００１０】
また好ましくは、前記取水装置、前記濾過装置及び前記紫外線殺菌装置を集中制御する制御装置を有することを特徴とする。
【考案の効果】
【００１１】
本考案の錦鯉養殖施設によれば、河川水を取水装置により取水し、取水した河川水を濾過装置により濾過し、濾過した濾過処理水に含まれるコイヘルペスウイルスを紫外線殺菌装置により殺菌し、殺菌した殺菌処理水を飼育水槽に送水することにより、利用する河川水からのコイヘルペスウイルスの進入を防止することができる。特に、紫外線殺菌装置により殺菌する前に、濾過装置により浮遊物を除去することができるので、浮遊物がコイヘルペスウイルスへの紫外線照射の邪魔にならず、殺菌効果を高めることができる。
【００１２】
また、濾過装置により０．１μｍ以上の浮遊物を除去した後に、紫外線殺菌装置によりコイヘルペスウイルスを殺菌するようにした場合には、コイヘルペスウイルスへの紫外線照射の邪魔になる浮遊物が極めて少なくなり、殺菌効果をさらに高めることができる。
【００１３】
また、取水装置、濾過装置及び紫外線殺菌装置を集中制御する制御装置を有する場合には、制御装置により、取水処理、濾過処理及び殺菌処理を集中制御して、錦鯉養殖施設の飼育水の供給を安定的に行うことができる。
【００１４】
以上、本考案によれば、利用する河川水からのコイヘルペスウイルスの進入を防止し、コイヘルペスウイルスによる錦鯉の魚病対策を実施可能とした錦鯉養殖施設を提供することができる。
【図面の簡単な説明】
【００１５】
【図１】本考案の実施形態に係る錦鯉養殖施設の構成を示すブロック図である。
【図２】錦鯉養殖施設の詳細を示す構成図である。
【考案を実施するための形態】
【００１６】
次に、図１及び図２を参照して、本考案の実施形態に係る錦鯉養殖施設について説明する。図１は、本考案の実施形態に係る錦鯉養殖施設の構成を示すブロック図であり、図２は、錦鯉養殖施設の詳細を示す構成図である。
【００１７】
図１に示すように、本実施形態に係る錦鯉養殖施設は、取水装置１０、濾過装置２０、紫外線殺菌装置３０及び制御装置４０を有している。
【００１８】
取水装置１０は、河川Ｒから錦鯉養殖施設で飼育水として利用する河川水を取水するためのものである。
【００１９】
濾過装置２０は、取水装置１０により取水した河川水を濾過して、砂や浮遊物等を除去するためのものである。なお、本実施形態では、濾過装置２０は、一次濾過装置２１、二次濾過装置２２、三次濾過装置２３及び精密濾過装置２４から構成されている。各濾過装置の詳細については後述する。
【００２０】
紫外線殺菌装置３０は、濾過装置２０により濾過した濾過処理水に含まれるコイヘルペスウイルスを紫外線の照射により殺菌するためのものである。
【００２１】
制御装置４０は、取水装置１０、濾過装置２０及び紫外線殺菌装置３０を集中制御して、錦鯉養殖施設の飼育水の供給を安定的に行うようにするためのものである。
【００２２】
そして、紫外線殺菌装置３０により殺菌された殺菌処理水は、各飼育水槽５０に送水されるようになっている。
【００２３】
次に、図２を参照して、本実施形態に係る錦鯉養殖施設の詳細について、河川からの取水〜飼育水槽への送水までの流れに沿って説明する。なお、図２中の符号Ｐはそれぞれポンプを示している。
【００２４】
河川Ｒには、取水装置１０として４台の水中ポンプＰが設置されており、水中ポンプＰにより河川水が揚水されるようになっている。揚水された河川水は、まず除砂装置１へと送られ、河川水中に含まれる泥や砂等が沈殿することによって除去される。泥や砂等が除去された河川水は、一次沈殿水槽２へと送られて、モール状の浮遊物付着装置により比較的大きな浮遊物が除去された後、濾過処理に備えて貯水される。
【００２５】
次に、一次沈殿水槽２に貯水された河川水は、一次濾過装置２１を経由して二次濾過水槽３へと送られる。一次濾過装置２１は、例えば活性炭を用いた濾過装置を用いることができる。なお、一次沈殿水槽２の河川水の一部は、一次濾過装置２１を経由せずに、直接二次濾過水槽３へと送られる。
【００２６】
二次濾過水槽３に送られた処理水は、二次濾過装置２２を経由して三次濾過水槽４へと送られる。二次濾過装置２２は、例えばフィルターを用いた濾過装置であって、複数台の濾過装置を並列に接続して処理することができる。
【００２７】
三次濾過水槽４に送られた処理水は、三次濾過装置２３を経由して貯水槽５へと送られる。三次濾過装置２３は、例えばフィルターを用いた濾過装置であって、複数台の濾過装置を並列に接続して処理することができる。
【００２８】
なお、二次濾過装置２２と三次濾過装置２３は、同じ種類の装置を用いることができる。また、フィルターは、定期的に逆洗処理により洗浄することが好ましい。
【００２９】
一次濾過装置２１、二次濾過装置２２、三次濾過装置２３は、微細な砂や浮遊物を除去するためのものであり、次の精密濾過処理の前処理に相当し、貯水槽５には砂濾過処理水が貯水される。
【００３０】
次に、貯水槽５に送られた砂濾過処理水は、精密濾過装置２４を経由して貯水槽６へと送られる。精密濾過装置２４は、例えば中空糸を用いた濾過装置であって、本実施形態では、２台の精密濾過装置２４，２４を並列に接続して処理するようになっている。
【００３１】
貯水槽６に送られた処理水の一部は、貯水槽７へと送られる。貯水槽７は、精密濾過装置２４を逆洗処理により洗浄するための逆洗用水を貯水するためのものであり、貯水槽７に貯水された処理水が精密濾過装置２４に送られて逆洗に使用される。このように、逆洗用水自体が精密濾過処理された処理水であるため、洗浄効果を高めることができる。なお、精密濾過装置２４の濾過処理や逆洗処理等は、自動工程により行われる。
【００３２】
精密濾過装置２４は、砂濾過処理水の中に含まれる超微細な浮遊物を除去するためのものであり、貯水槽６には精密濾過処理水が貯水される。
【００３３】
ここで、濾過装置２０（一次濾過装置２１、二次濾過装置２２、三次濾過装置２３、精密濾過装置２４）における砂や浮遊物の除去について説明する。本実施形態における錦鯉養殖施設は、利用する河川水からのコイヘルペスウイルスの進入を防止することを目的としたものであり、最終的なコイヘルペスウイルスの除去は、紫外線殺菌装置３０の殺菌処理によって行うものである。ところで、コイヘルペスウイルスの大きさは、０．０１μｍ程度であり、紫外線殺菌装置３０へ送られた処理水の中にコイヘルペスウイルスへの紫外線照射の邪魔になるような大きさの粒子が存在すると、殺菌効果が低くなる恐れがある。従って、できるだけ処理水中に存在する粒子の大きさが小さいことが好ましい。例えば、０．１μｍ以上の浮遊物を除去した後に、紫外線殺菌装置３０により殺菌することができれば、殺菌効果をより高めることができる。
【００３４】
本実施形態の錦鯉養殖施設では、一次濾過装置２１、二次濾過装置２２及び三次濾過装置２３により、まず微細な砂や浮遊物を除去する。例えば、アルグルス（チョウ）虫（８ｍｍ）、イカリ虫（１０〜２０ｍｍ）、キロドネラ虫（６０μｍ）等である。
【００３５】
そして、精密濾過装置２４により、０．１μｍ以上の超微細な浮遊物を除去する。例えば、白点虫（２０μｍ）、ダクチロギルス虫（０．５〜２ｍｍ）、鯉ミクソボルス虫（７〜１０μｍ）、イクチオボド虫（８〜１２μｍ）、トリコジナ虫（１３〜５０μｍ）、大腸菌群数（０．５μｍ）、カラムナリス菌（０．５〜８μｍ）、濁質微粒子（０．１μｍ）等である。
【００３６】
貯水槽６に送られた精密濾過処理水は、貯水槽８へと送られる。そして、貯水槽９を経由して、紫外線殺菌装置３０へと送られる。紫外線殺菌装置３０は、流水型の装置を５台設置したものであり、紫外線照射量４０００μＷｓ／ｃｍ２以上で、コイヘルペスウイルスは９９．９％不活化する。紫外線殺菌装置３０で殺菌された殺菌処理水は、各飼育水槽５０へと送水される。
【００３７】
なお、紫外線殺菌装置３０による殺菌処理は、各飼育水槽５０への送水直前に行われるようになっている。すなわち、精密濾過後の処理水を貯水槽８，９に貯めておき、各飼育水槽５０に送水する段階で殺菌処理が行われる。従って、各飼育水槽５０に必要な飼育水の量に応じて、接続された殺菌装置を通過させる処理水を調整すればよい。
【００３８】
取水装置１０、濾過装置２０及び紫外線殺菌装置３０は、制御装置４０により集中制御されるようになっている。制御装置４０には各種制御を行う制御ユニット４１が装備されており、タッチパネルによる操作が可能となっている。そして、制御装置４０が、各貯水槽の水量計や満水計等を監視しながら、取水ポンプＰ、一次濾過装置２１、二次濾過装置２２、三次濾過装置２３、精密濾過装置２４、紫外線殺菌装置３０等を集中制御することにより、完全自動化が可能となる。さらに、落雷、電圧降下等の電気的トラブルで停止した場合にも、自動復帰機能が備わっている。
【００３９】
また、濁度計センサー６１，６２，６３が一次沈殿水槽２、貯水槽５、貯水槽６に設定されており、濁度計６０よって、河川水、砂濾過処理水、精密濾過処理水の各濁度を常時監視できるようになっている。
【００４０】
また、制御装置４０においては、機器故障、機器運転記録、濁度、送水量、水位記録等のデータ管理も可能となっている。
【００４１】
本実施形態に係る錦鯉養殖施設によれば、河川水を取水装置１０により取水し、取水した河川水を濾過装置２０により濾過し、濾過した濾過処理水に含まれるコイヘルペスウイルスを紫外線殺菌装置３０により殺菌し、殺菌した殺菌処理水を飼育水槽５０に送水することにより、利用する河川水からのコイヘルペスウイルスの進入を防止することができる。特に、紫外線殺菌装置３０により殺菌する前に、濾過装置２０により浮遊物を除去することができるので、浮遊物がコイヘルペスウイルスへの紫外線照射の邪魔にならず、殺菌効果を高めることができる。
【００４２】
また、濾過装置２０により０．１μｍ以上の浮遊物を除去した後に、紫外線殺菌装置３０によりコイヘルペスウイルスを殺菌するようにした場合には、コイヘルペスウイルスへの紫外線照射の邪魔になる浮遊物が極めて少なくなり、殺菌効果をさらに高めることができる。
【００４３】
また、取水装置１０、濾過装置２０及び紫外線殺菌装置３０を集中制御する制御装置４０を有する場合には、制御装置４０により、取水処理、濾過処理及び殺菌処理を集中制御して、錦鯉養殖施設の飼育水の供給を安定的に行うことができる。
【００４４】
以上、本実施形態に係る錦鯉養殖施設によれば、利用する河川水からのコイヘルペスウイルスの進入を防止し、コイヘルペスウイルスによる錦鯉の魚病対策が実施可能である。
【００４５】
以上、本考案の実施形態に係る錦鯉養殖施設について説明したが、本考案は上述した実施の形態に限定されるわけではなく、その他種々の変更が可能である。例えば、濾過装置２０について、何段階で処理するかは適宜変更することができる。
【００４６】
また、制御装置４０による集中制御を行わずに各装置を個別に制御してもよい。もちろん、制御装置４０による集中制御により自動化を進めることが好ましい。
【符号の説明】
【００４７】
１  除砂装置
２  一次沈殿水槽
３  二次濾過水槽
４  三次濾過水槽
５  貯水槽（砂濾過処理水）
６  貯水槽（精密濾過処理水）
７  貯水槽（精密濾過装置逆洗用水）
８  貯水槽（精密濾過処理水）
９  貯水槽（精密濾過処理水）
１０  取水装置
２０  濾過装置
２１  一次濾過装置
２２  二次濾過装置
２３  三次濾過装置
２４  精密濾過装置
３０  紫外線殺菌装置
４０  制御装置
４１  制御ユニット
５０  飼育水槽
６０  濁度計
６１  濁度計センサー
６２  濁度計センサー
６３  濁度計センサー
Ｒ  河川
【図１】
0003197411.tif 000003
【図２】
0003197411.tif 000004